(57)【要約】【課題】大規模監視システムはカメラが多数存在し、カメラ名称だけでは実際に選択したいカメラ画像がわからない場合、一度カメラ映像の確認を行わなければならず、手間がかかった。また、手入力、またはカメラリストからの選択では、操作に煩雑さがあった。【解決手段】本発明の複数の監視カメラの画像を表示器に表示する監視カメラシステムにおいて、表示器は、複数の監視カメラの画像を表示する画像表示部と、複数の監視カメラの設定位置を表示する地図表示部と、画像表示部に表示する監視カメラの識別記号および表示順番を登録するシーケンスパターン登録リスト表示部で構成されている。【選択図】  図１
2009017170.tif 000002
【特許請求の範囲】
【請求項１】
複数の監視カメラの画像を表示器に表示する監視カメラシステムにおいて、
前記表示器は、前記複数の監視カメラの画像を表示する画像表示部と、前記複数の監視カメラの設定位置を表示する地図表示部と、前記画像表示部に表示する監視カメラの識別記号および表示順番を登録するシーケンスパターン登録リスト表示部で構成されていことを特徴とする監視カメラシステム。
【請求項２】
請求項１に記載の監視カメラシステムにおいて、
前記表示器は、更に前記シーケンスパターン登録リスト表示部の登録を前記地図表示部に表示されている監視カメラの記号から選択できることを特徴とする監視カメラシステム。
【発明の詳細な説明】
【技術分野】
【０００１】
本発明は、監視カメラシステムの画像表示に関し、特に画像表示内容の登録機能に関するものである。
【背景技術】
【０００２】
従来、複数の監視カメラを有する監視カメラゾーンが複数あり、所定の場所に設置されている遠隔監視システムで、受信する画像データを選択すること、画像データの画質を変更すること、ＩＤナンバーを設定することで特定のカメラを選択できるようにした雲台を含むカメラ本体の制御を、受信しているモニタ側から変更していた（例えば、特許文献１参照。）。
【特許文献１】特開平１０−３２２６８５号公報
【発明の開示】
【発明が解決しようとする課題】
【０００３】
大規模監視システムはカメラが多数存在し、カメラ名称だけでは実際に選択したいカメラ画像がわからない場合、一度カメラ映像の確認を行わなければならず、手間がかかった。また、手入力、またはカメラリストからの選択では、操作に煩雑さがあった。
【０００４】
本発明の目的は、表示画面で表示の順番等を登録するリストを表示し、カメラ画像表示部や地図表示部から、カメラ映像の選択、及びカメラシンボルを選択することにより、表示画面内からのシーケンスパターン登録を簡易にすることにある。
【課題を解決するための手段】
【０００５】
本発明の複数の監視カメラの画像を表示器に表示する監視カメラシステムにおいて、表示器は、複数の監視カメラの画像を表示する画像表示部と、複数の監視カメラの設定位置を表示する地図表示部と、画像表示部に表示する監視カメラの識別記号および表示順番を登録するシーケンスパターン登録リスト表示部で構成されている。
【０００６】
また、本発明の上記の表示器は、更にシーケンスパターン登録リスト表示部の登録を地図表示部に表示されている監視カメラの記号から選択できる。
【発明の効果】
【０００７】
本発明によれば、カメラ画像表示部で実際の画像を見ながら選択、及び地図表示部のカメラシンボルを直接選択しポインティング・デバイス(マウス等)の選択機能(ドラッグ等)で行えることで、操作のスピード性が向上し、誤入力や選択ミスをなくし、操作が容易となり操作効率が大幅に向上する。
【発明を実施するための最良の形態】
【０００８】
以下、本発明による監視カメラシステムの一実施例について図１〜図３を用いて説明する。図１は本発明の一実施例である監視カメラシステムを説明するためのブロック図である。
【０００９】
図１において、１−１〜１−ｍ（ｍは自然数）およびｎ−１〜ｎ−ｍ’（ｎ，ｍ’は自然数）は監視カメラであり、２−１〜２−ｎは第１〜第ｎの監視ゾーンであり、３はインターネット等のネットワークであり、４は監視カメラ１−１〜１−ｍおよび監視カメラ１’−１〜１’−ｍ’の映像を監視する監視センターである。監視センター４の４０１はネットワーク４を介して監視カメラ１−１〜１−ｍおよび監視カメラｎ−１〜ｎ−ｍ’と通信を行うための送受信部であり、４０２は監視カメラ１−１〜１−ｍおよび監視カメラｎ−１〜ｎ−ｍ’の制御を行う例えばパーソナルコンピュータ（ＰＣ）等の制御部であり、４０３は制御部４０２を操作する操作部であり、４０３は制御部４０２から出力される映像信号を表示する表示部である。監視カメラ１−１〜１−ｍおよび監視カメラｎ−１〜ｎ−ｍ’は予め固有の識別番号が設定されている。
【００１０】
監視カメラ１−１〜１−ｍは第１の監視ゾーン２−１を撮像して映像信号に変換し、変換した映像信号はネットワーク４を介して監視センター４に伝送する。監視カメラｎ−１〜ｎ−ｍ’は第ｎの監視ゾーン２−ｎを撮像して映像信号に変換し、変換した映像信号はネットワーク４を介して監視センター４に伝送する。監視センター４に伝送された映像信号は送受信部４０１で受信し、制御部４０２を介して表示部４０３に表示する。
【００１１】
監視センター４の監視者は、操作部４０４を操作して制御部４０２から監視カメラ１−１〜１−ｍおよび監視カメラｎ−１〜ｎ−ｍ’を制御するための制御信号を送受信部４０１から送信する。監視センター４から送信された制御信号はネットワーク３を介して、監視カメラ１−１〜１−ｍおよび監視カメラｎ−１〜ｎ−ｍ’を制御する。
【００１２】
図２は本発明の一実施例である監視カメラシステムの表示部を説明するための図である。図２において、９は監視カメラ１−１〜１−ｍおよび監視カメラｎ−１〜ｎ−ｍ’から出力された映像信号を表示する監視カメラ画像表示部であり、１０は地図に監視カメラ１−１〜１−ｍおよび監視カメラｎ−１〜ｎ−ｍ’の配置位置を表示している監視カメラ配置位置地図表示部である。８は監視カメラ画像表示部９に表示する監視カメラの画像を設定するシーケンスパターン登録リスト表示部である。シーケンスパターン登録リスト表示部８は、監視カメラ画像表示部９に表示する監視カメラ画像の表示位置および表示順番等のシーケンスパターンを登録するため、表示部の欄には監視カメラ画像表示部９の表示位置、監視カメラ識別記号の欄には監視カメラの識別記号が登録できるようにしてある。
【００１３】
監視センター４の監視者は、監視カメラ画像表示部９に表示したい監視カメラの映像信号をシーケンスパターン登録リスト表示部８に操作部４０４を操作して登録する。登録方法は、監視者が監視カメラ配置位置地図表示部１０に表示されている監視カメラ１−１〜１−ｍおよび監視カメラｎ−１〜ｎ−ｍ’から所望のカメラシンボルを操作部４０４のポインティング・デバイス(マウス等)で直接選択してシーケンスパターン登録リスト表示部８の監視カメラ識別番号の任意の箇所に落とし込むことによって所望の監視カメラの識別番号を登録することができる。
【００１４】
以上本発明について詳細に説明したが、本発明は、ここに記載された監視カメラシステムに限定されるものではなく、上記以外の監視カメラシステムに広く適用することができることは言うまでもない。
【図面の簡単な説明】
【００１５】
【図１】本発明の一実施例である監視カメラシステムを説明するためのブロック図。
【図２】本発明の一実施例である監視カメラシステムの表示部を説明するための図。
【符号の説明】
【００１６】
１−１〜１−ｍ，ｎ−１〜ｎ−ｍ’：監視カメラ、２−１〜２−ｎ：監視ゾーン、３：ネットワーク、４：監視センター、４０１：送受信部、４０２：制御部、４０３：表示部、４０４：操作部、８：シーケンスパターン登録リスト表示部、９：監視カメラ画像表示部、１０：監視カメラ配置位置地図表示部。
【図１】
2009017170.tif 000003
【図２】
2009017170.tif 000004